(57)【特許請求の範囲】
【請求項１】
累進屈折力レンズを用いた眼鏡を装用した際に装用者の視線を適正な位置に導くための装用確認用シートであって、
少なくとも前記累進屈折力レンズの基準位置に位置合わせされる基準位置マークと、前記累進屈折力レンズの遠用部分を示す遠用参照マークとが設けられた透明な粘着シートからなる１枚の遠用側シートと、
少なくとも前記累進屈折力レンズの近用部分を示す近用参照マークが設けられた透明な粘着シートからなり、前記近用参照マークの配置と形状との少なくとも一方を異ならせた複数枚の近用側シートとを備え、
前記累進屈折力レンズの基準位置に前記基準位置マークを位置合わせした状態で、前記遠用側シートを前記累進屈折力レンズの一面に貼着した後に、前記複数枚の近用側シートの中から選択される一枚の近用側シートを前記累進屈折力レンズの一面に貼着して使用されることを特徴とする装用確認用シート。
【請求項２】
前記遠用側シートには、前記近用側シートの貼着位置を規定する位置決め基準部が設けられていることを特徴とする請求項１に記載の装用確認用シート。
【請求項３】
前記位置決め基準部は、前記遠用側シートの一部を切り欠くように形成された切欠き部からなり、
前記近用側シートは、その一部が前記切欠き部の輪郭に沿った形状を有することを特徴とする請求項２に記載の装用確認用シート。
【請求項４】
前記遠用参照マークの内側に遠用孔部が設けられていることを特徴とする請求項１〜３の何れか一項に記載の装用確認用シート。
【請求項５】
前記近用参照マークの内側に近用孔部が設けられていることを特徴とする請求項１〜４の何れか一項に記載の装用確認用シート。
【請求項６】
前記近用孔部は、前記累進屈折力レンズの累進帯長又は近用部分の内寄せ量に応じて上下方向又は水平方向に延長された長孔であることを特徴とする請求項５に記載の装用確認用シート。
【請求項７】
前記長孔の周囲の長手方向に目盛りが設けられていることを特徴とする請求項６に記載の装用確認用シート。
【請求項８】
前記遠用側シートには、更に、前記累進屈折力レンズの遠用アイポイントを示す遠用アイポイントマークと、前記累進屈折力レンズのレンズ径を示すレンズ径目盛りとの何れかが設けられていることを特徴とする請求項１〜７の何れか一項に記載の装用確認用シート。
【請求項９】
前記１枚の遠用側シート及び前記複数枚の近用側シートが１枚の剥離シートに貼着されていることを特徴とする請求項１〜８の何れか一項に記載の装用確認用シート。
【請求項１０】
前記１枚の遠用側シートが１枚の剥離シートに貼着され、前記複数枚の近用側シートが１枚又は複数枚の剥離シートに貼着されていることを特徴とする請求項１〜８の何れか一項に記載の装用確認用シート。
【発明の詳細な説明】
【技術分野】
【０００１】
本発明は、累進屈折力レンズを用いた眼鏡を装用した際に装用者の視線を適正な位置に導くための装用確認用シートに関する。
【背景技術】
【０００２】
老視などの視力の補正機能を備えた眼鏡用レンズとしては、単焦点レンズや多焦点レンズ、累進屈折力レンズなどがある。そのレンズの中でも、累進屈折力レンズは、１つのレンズで異なる度数の視野が得られるだけでなく、多焦点レンズのような境目がないため、外観に優れた眼鏡用レンズとしてその需要が高まっている。
【０００３】
ここで、図５において、眼鏡用レンズ１００ａに加工された累進屈折力レンズ１００の一例を示す。なお、以下の説明において、レンズの「上方」、「下方」、「上下方向」「水平方向」等といった場合は、眼鏡を装用したときのレンズの位置関係に基づくものとし、図面においても、レンズの位置関係（上下左右）は、紙面に対する位置関係（上下左右）と一致するものとする。
【０００４】
累進屈折力レンズ１００は、図５に示すように、遠くを見るときの度数が入った遠用部１０１が上方に配置され、近くを見るときの度数が入った近用部１０２が下方に配置され、これら遠用部１０１と近用部１０２との間で連続的に度数が変化する中間部１０３が配置された構造を有している。
【０００５】
なお、この累進焦点レンズ１００を眼鏡用レンズ１００ａに加工する前（玉摺り加工前の状態）は、例えば図６に示すように、その外面に、幾何学中心マークａ、水平基準線マークｂ、遠用アイポイントマークｃ、遠用参照円マークｃ’、近用参照円マークｄ、及び左右表示マークｅを含むレイアウトマークが形成され、その外面又は内面に、再生マークｆ、加入度マークｇ、及び製造者マークｈを含む隠しマークが形成されている。このうち、レイアウトマークは、レンズの設計に応じてレンズ表面に印刷されたものであり、玉摺り加工後に消失される。一方、隠しマークは、レンズの種類に応じた固有の識別マークであり、玉摺り加工後に消失しないようにレンズ表面に打刻されている。なお、この隠しマークは、眼鏡装用時の障害とならぬように、光を反射させるようにすると確認できる程度のものである。
【０００６】
ところで、累進屈折力レンズ１００を用いた眼鏡を装用した場合、視覚対象物の距離に最も適した度数の視野部分で見ることが重要であり、視野部分が不適切な場合、視力を矯正できないだけでなく、像の歪みや目の疲れ等を引き起こすこともある。したがって、装用者には、図５に示すように、累進屈折力レンズ１００において、遠くを見るときに使用する遠用部分（遠用参照円マークｃ’の形成位置）１０４と、近くを見るときに使用する近用部分（近用参照円マークｄの形成位置）１０５とを認識してもらう必要がある。
【０００７】
特に、累進屈折力レンズ１００を適切な視野部分で見ることができるように、中間部１０３から近用部１０２にかけての視野部分については、装用者が視線の移動に慣れる必要がある。したがって、装用者に合わせて処方された累進屈折力レンズ１００の眼鏡を装用者が店頭等で初めて装用する際には、装用時の瞳の位置を示す遠用アイポイント（遠用アイポイントマークｃの形成位置）から、近くを見るときの瞳の位置を示す近用アイポイント（近用参照円マークｄの中心位置）へと視線を適正に導く訓練をしてもらう必要がある。
【０００８】
そこで、このような訓練を行うための眼鏡装用テスト用補助具が従来より提案されている（特許文献１を参照。）。具体的に、この特許文献１に記載される眼鏡装用テスト用補助具は、基準位置マークを眼鏡レンズに設けられている隠しマーク等の基準位置に合わせてテストシール本体を眼鏡レンズに貼り付け、アイポイントシールの第２累進帯長位置決めマークをテストシール本体の第１累進帯長位置決めマークに位置決めすると共に、第２内寄せ位置決めマークを第１内寄せ位置決めマークに位置決めしてアイポイントシールを切り抜き部の周囲に貼り付けることによって、近用アイポイント孔が装用者特有の近用アイポイントを表示するようにしたものである。
【特許文献１】特開２００４−４６７４号公報
【発明の開示】
【発明が解決しようとする課題】
【０００９】
しかしながら、特許文献１に記載される眼鏡装用テスト用補助具では、処方された累進屈折力レンズの累進帯長及び内寄せ量に従って、第１内寄せ指標線を第１内寄せ目盛に位置決めするか、第２内寄せ指標線を第２内寄せ目盛に位置決めすると共に、累進帯長指標線を累進帯長目盛に位置決めしてアイポイントシールを切り抜き部の周囲領域に貼り付けて固定する必要がある。
【００１０】
この場合、各目盛と指標線との位置合わせが難しいといった問題がある。また、目盛と指標線との位置ずれが生じた場合に、テストシール本体に貼り付けられたアイポイントシールをもう一度貼り直そうとしても、剥がす途中でアイポイントシールが切れてしまったり、アイポイントシールの剥がした部分が白く濁ってしまったりするため、場合によってアイポイントシールが使用できなくなる虞れもある。
【００１１】
本発明は、このような従来の事情に鑑みて提案されたものであり、更なる利便性の向上及びコストの削減を可能とした装用確認用シートを提供することを目的とする。
【課題を解決するための手段】
【００１２】
上記目的を達成するために、本発明に係る装用確認用シートは、累進屈折力レンズを用いた眼鏡を装用した際に装用者の視線を適正な位置に導くためのものであって、少なくとも累進屈折力レンズの基準位置に位置合わせされる基準位置マークと、累進屈折力レンズの遠用部分を示す遠用参照マークとが設けられた透明な粘着シートからなる１枚の遠用側シートと、少なくとも累進屈折力レンズの近用部分を示す近用参照マークが設けられた透明な粘着シートからなり、近用参照マークの配置と形状との少なくとも一方を異ならせた複数枚の近用側シートとを備え、累進屈折力レンズの基準位置に基準位置マークを位置合わせした状態で、遠用側シートを累進屈折力レンズの一面に貼着した後に、複数枚の近用側シートの中から選択される一枚の近用側シートを累進屈折力レンズの一面に貼着して使用されることを特徴とする。
【発明の効果】
【００１３】
以上のように、本発明によれば、種類の異なる累進屈折力レンズに適合した装用確認用シートを提供することができ、遠用側シートに対する近用側シートの位置決めも容易なことから、更なる利便性の向上が可能である。また、累進屈折力レンズの種類に応じた数の装用確認用シートを用意する必要がないため、コストの削減も可能である。
【発明を実施するための最良の形態】
【００１４】
以下、本発明を適用した装用確認用シートについて、図面を参照して詳細に説明する。
先ず、本発明の一実施形態として図１に示す装用確認用シート１の構造について説明する。
この装用確認用シート１は、図１に示すように、累進屈折力レンズを用いた眼鏡を装用した際に装用者の視線を適正な位置に導くためのものであり、剥離シート（図示せず。）に貼着された透明な粘着シート１ａからなる。
【００１５】
粘着シート１ａは、光透過性を有し、累進屈折力レンズに貼着した後に、そのまま引き剥がすことができるものであれば、特に限定されるものではなく、従来より一般に使用されている透明プラスチックフィルムの一面に粘着剤を塗布したもの等を用いることができる。また、剥離シートについても、従来より一般に使用されている剥離紙等を用いることができる。
【００１６】
また、この装用確認用シート１には、左眼用（「Ｌ」と表示。）と右眼用（「Ｒ」と表示。）とがあり、矩形状を為す粘着シート１ａの中心線Ｏを挟んで左右対称に配置されている。なお、装用確認用シート１の左眼用と右眼用とは、左右対称である以外はほぼ同様な構成を有することから、これらをまとめて説明するものとする。
【００１７】
装用確認用シート１は、粘着シート１ａを所定の形状に型抜きすることによって剥離シートから剥離可能とされた１枚の遠用側シート２と、複数枚の近用側シート３とを備えている。
【００１８】
遠用側シート２は、種類の異なる累進屈折力レンズのうち、例えば図５及び図６に示す上記累進屈折力レンズ１００（以下、加工後の眼鏡用レンズ１００ａについても、まとめて累進屈折力レンズ１００として扱うものとする。）の一対の基準位置（再生マークｆの形成位置）１０６、上記累進屈折力レンズ１００の水平基準線（水平基準線マークｂの形成位置）に対する遠用アイポイント（遠用アイポイントマークｃの形成位置）の距離Ｓ、及び遠用アイポイントの幾何学中心（幾何学中心マークａの形成位置）に対する内寄せ量Ｔが適合するものに、共通して使用可能としたものである。
【００１９】
具体的に、この遠用側シート２は、図１に示すように、上記累進屈折力レンズ１００に貼着された際に、少なくとも一対の再生マークｆ、遠用アイポイントマークｃ、及び遠用参照円マークｃ’が形成された面上を覆うのに足る形状を有している。
【００２０】
そして、この遠用側シート２には、上記累進屈折力レンズ１００の基準位置１０６に位置合わせされる一対の基準位置マーク４と、上記累進屈折力レンズ１００の遠用部分１０４を示す遠用参照マーク５と、上記累進屈折力レンズ１００の遠用アイポイントを示す遠用アイポイントマーク６と、上記累進屈折力レンズ１００の水平基準線を示す水平基準線マーク７と、上記累進屈折力レンズ１００のレンズ径を示すレンズ径目盛り８とが設けられている。
【００２１】
また、これら基準位置マーク４、遠用参照マーク５、遠用アイポイントマーク６及びレンズ径目盛り８は、粘着シート１ａに印刷により形成されている。なお、左眼用の遠用側シート２には、「Ｌ」が印刷により表示され、右眼用の遠用側シート２には、「Ｒ」が印刷により表示されている。
【００２２】
さらに、遠用側シート２には、基準位置マーク４及び遠用参照マーク５の内側を型抜きすることによって、この遠用側シート２を剥離シートから剥離した際に、基準位置マーク４及び遠用参照マーク５の内側に孔部が形成されるようになっている。
【００２３】
このうち、遠用参照マーク５の内側に形成された孔部（以下、遠用孔部５ａという。）は、上記累進屈折力レンズ１００の遠用部分１０４に対応して、上下方向に延長された長孔を形成している。また、遠用孔部５ａの下端中央には、遠用アイポイントマーク６に対応する位置を一部切り欠くＶ字状のスリット６ａが形成されている。
【００２４】
また、遠用側シート２には、後述する近用側シート３の貼着位置を規定する位置決め基準部９が設けられている。この位置決め基準部９は、遠用側シート２の一部を切り欠くように形成された切欠き部１０からなる。具体的に、この切欠き部１０は、矩形状を為す遠用側シート２のうち、水平基準線マーク７よりも下方の領域を鼻側の側端部２ａから耳側の中途部に至るまで水平基準線マーク７と平行な方向に切断する水平切断線１０ａと、この水平切断線１０ａの耳側の端部から遠用側シート２の下端部２ｂに至るまで水平基準線マーク７と垂直な方向に切断する上下切断線１０ｂとに沿って切り欠くように形成されている。
【００２５】
一方、複数枚の近用側シート３は、種類の異なる累進屈折力レンズのうち、例えば図５及び図６に示す上記累進屈折力レンズ１００の遠用部１０１と近用部１０２との間の距離（累進帯長という。）Ｙ、及び上記累進屈折力レンズ１００の近用アイポイント（近用参照円マークｄの中心位置）の幾何学中心に対する内寄せ量Ｘが適合するものを複数枚の中から選択して使用可能としたものである。
【００２６】
具体的に、各近用側シート３は、図１に示すように、何れも共通の外形形状を有しており、上記累進屈折力レンズ１００に貼着された際に、少なくとも近用参照円マークｄが形成された面上を覆うのに足る形状を有している。
【００２７】
また、各近用側シート３は、その一部が上記切欠き部１０の輪郭に沿った形状を有している。すなわち、近用側シート３は、その上端部３ａが上記切欠き部１０の水平切断線１０ａと合致すると共に、その耳側の側端部３ｂが上記切欠き部１０の上下切断線１０ｂと合致する形状を有している。さらに、近用側シート３は、その上端部３ａが上記切欠き部１０の水平切断線１０ａと合致するとき、その下端部３ｃが上記遠用側シート２の下端部２ｂと連続すると共に、その耳側の側端部３ｂが上記切欠き部１０の上下切断線１０ｂと合致するとき、その鼻側の側端部３ｄが上記遠用側シート２の鼻側の側端部２ａと連続する形状を有している。
【００２８】
各近用側シート３には、その鼻側の側端部３ｄと下端部３ｃとの間を一部切り欠く切欠き部１１が設けられている。この切欠き部１１は、近用側シート３を累進屈折力レンズ１００に貼着した際に、近用側シート３の角部が鼻にかからないようにするためのものである。
【００２９】
各近用側シート３には、上記累進屈折力レンズ１００の近用部分１０５を示す近用参照マーク１２が設けられ、この近用参照マーク１２は、粘着シート１ａに印刷により形成されている。なお、左眼用の近用側シート３には、「Ｌ」が印刷により表示され、右眼用の近用側シート３には、「Ｒ」が印刷により表示されている。
【００３０】
さらに、各近用側シート３には、この近用参照マーク１２の内側を型抜きすることによって、各近用側シート３を剥離シートから剥離した際に、近用参照マーク１２の内側に孔部が形成されるようになっている。
【００３１】
ここで、複数枚の近用側シート３は、上記遠用側シート３が適合する累進屈折力レンズの中で、上記累進帯長Ｙと上記内寄せ量Ｘとの少なくとも一方又は両方の違いに応じて、近用参照マーク１２の配置と形状との少なくとも一方又は両方を異ならせた複数種の組合せからなっている。
【００３２】
具体的に、各近用参照マーク１２の内側に形成された孔部（以下、近用孔部１２ａという。）は、適合する累進屈折力レンズの累進帯長Ｙ又は内寄せ量Ｙに応じて上下方向又は水平方向に延長された長孔を形成している。また、近用孔部１２ａの長手方向の周囲には、適合する累進屈折力レンズの累進帯長Ｙ又は内寄せ量Ｙに応じた目盛り１３（数値等も含む。）が設けられている。
【００３３】
なお、図１に示す装用確認用シート１には、左眼用及び右眼用のそれぞれにおいて、計７枚の近用側シート３が配置可能とされており、このうち最下方に位置する２枚の近用側シート３は予備用であるため、計５種類の近用側シート３が用意されている。なお、近用側シート３は、適合する累進屈折力レンズの種類に応じて、その種類や数等を適宜変更して実施することができ、上記近用孔部１２ａの形状や位置、目盛り１３の有無等も任意に変更することができる。
【００３４】
次に、上記装用確認用シート１の使用方法について図２〜図４を参照して説明する。
本実施形態は、上記累進屈折力レンズ１００に上記装用確認用シート１を使用する場合を例示したものである。
なお、上記装用確認用シート１の左眼用と右眼用とは、同時に使用されるものであることから、以下の説明では、これらをまとめて説明するものとし、図２〜図４においては、右眼用の累進屈折力レンズ１００に右眼用の装用確認用シート１を使用する場合を例示するものとする。また、図２〜図４に示す遠用部分１０４及び近用部分１０５は、玉摺り加工後に上記遠用参照円マークｃ’及び上記近用参照円マークｄが消失することによって、その位置が実際には表示されないものの、便宜上、図中においては囲み部分として模式的に示すものとする。
【００３５】
上記装用確認用シート１を使用する際は、先ず、図２に示すように、遠用側シート２を剥離シートから引き剥がす。そして、図３に示すように、上記累進屈折力レンズ１００の一対の基準位置１０６に遠用側シート２の一対の基準位置マーク４が重なるように位置合わせした状態で、遠用側シート２を累進屈折力レンズ１００の外面に貼着する。これにより、遠用側シート２の遠用参照マーク５が上記累進屈折力レンズ１００の遠用部分１０４を表示する位置に、遠用側シート２の遠用アイポイントマーク６が上記累進屈折力レンズ１００の遠用アイポイントを表示する位置に、それぞれ正確に配置されることになる。
【００３６】
次に、図３に示すように、複数枚の近用側シート３の中から上記累進屈折力レンズ１００の累進帯長Ｙ及び内寄せ量Ｘに適合する一枚の近用側シート３を選択して剥離シートから引き剥がす。そして、図４に示すように、この選択された近用側シート３を遠用側シート２の位置決め基準部９に位置合わせした状態で、累進屈折力レンズ１００の外面に貼着する。これにより、近用側シート３の近用参照マーク１２が上記累進屈折力レンズ１００の近用部分１０５を表示する位置に正確に配置されることになる。
【００３７】
また、遠用側シート２の位置決め基準部９に対する近用側シート３の位置決めは、遠用側シート３の切欠き部１０の内側において、近用側シート３の上端部３ａを切欠き部１０の水平切断線１０ａと合致させると共に、近用側シート３の耳側の側端部３ｂを切欠き部１０の上下切断線１０ｂと合致させることにより一義的に行うことができる。
【００３８】
そして、上記累進屈折力レンズ１００に遠用側シート２及び近用側シート３が貼着された眼鏡を装用した装用者は、その視線を適正な位置に導くための訓練を行うことができる。
【００３９】
具体的に、装用者には、遠用側シート２及び近用側シート３が貼着された累進屈折力レンズ１００において、遠用側シート２の遠用孔部５ａから臨む位置が、遠くを見るときに使用する遠用部分１０４として、近用側シート３の近用孔部１２ａから臨む位置が、近くを見るときに使用する近用部分１０５として認識される。
【００４０】
また、装用者には、累進屈折力レンズ１００を適切な視野部分で見ることができるように、装用時の瞳の位置を示す遠用アイポイント（遠用側シート２のスリット６ａの形成位置）から、近くを見るときの瞳の位置を示す近用アイポイント（近用側シート３の近用孔部１２ａの該当位置）へと視線を適正に導く訓練を行うことができる。
【００４１】
本発明を適用した装用確認用シート１は、上述したように１枚の遠用側シート２を累進屈折力レンズ１００に貼着した後に、複数枚の中から選択される一枚の近用側シート３を累進屈折力レンズ１００に貼着して使用される。この場合、従来は累進屈折力レンズの種類毎に用意する必要があった複数枚の装用確認用シートを１枚の装用確認用シート１に集約することによって、例えば、出荷工程での生産性向上、付属パーツのコスト削減、並びに自動袋入れ機などの複雑化を防ぐことが可能である。
【００４２】
また、この装用確認用シート１を使用する場合は、複数枚の中から選択される一枚の近用側シート３を遠用側シート２の位置決め基準部９に一義的に位置決めするだけでよいため、累進屈折力レンズの累進帯長や内寄せ量に応じて貼着位置を調整するといった必要がなく、しかも、遠用側シート２に対する近用側シート３の位置合わせを正確且つ容易に行うことが可能である。
【００４３】
以上のように、本発明によれば、種類の異なる累進屈折力レンズに適合した装用確認用シート１を提供することができ、遠用側シート２に対する近用側シート３の位置決めも容易なことから、更なる利便性の向上が可能である。また、累進屈折力レンズの種類に応じた数の装用確認用シート１を用意する必要がないため、コストの削減も可能である。
【００４４】
なお、本発明は、上記実施形態のものに必ずしも限定されるものではなく、本発明の趣旨を逸脱しない範囲において種々の変更を加えることが可能である。
例えば、上記装用確認用シート１では、１枚の遠用側シート２及び複数枚の近用側シート３が１枚の剥離シートに貼着されたものから構成されているが、このような構成に必ずしも限定されるものではなく、例えば１枚の遠用側シート２が１枚の剥離シートに貼着されたものと、複数枚の近用側シート３が１枚又は複数枚の剥離シートに貼着されたものとの組合せから構成されるものであってもよい。
【００４５】
また、上記位置決め基準部９についても、上記遠用側シート２に対する上記近用側シート３の貼着位置を一義的に規定可能であれば、上記切欠き部１０及び上記近用側シート３の形状等に限らず、上記切欠き部１０及び上記近用側シート３の形状等を適宜変更して実施することができる。
【図面の簡単な説明】
【００４６】
【図１】本発明を適用した装用確認用シートの一具体例を示す平面図である。
【図２】累進屈折力レンズに遠用側シートを貼着する前の状態を示す平面図である。
【図３】累進屈折力レンズに近用側シートを貼着する前の状態を示す平面図である。
【図４】累進屈折力レンズに遠用及び近用側シートを貼着した状態を示す平面図である。
【図５】眼鏡用レンズに加工された累進屈折力レンズの一例を示す平面図である。
【図６】眼鏡用レンズに加工される前の累進焦点レンズの一例を示す平面図である。
【符号の説明】
【００４７】
１…装用確認用シート  ２…遠用側シート  ３…近用側シート  ４…基準位置マーク  ５…遠用参照マーク  ５ａ…遠用孔部  ６…遠用アイポイントマーク  ７…水平基準線マーク  ８…レンズ径目盛り  ９…位置決め基準部  １０…切欠き部  １２…近用参照マーク  １２ａ…近用孔部  １３…目盛り
１００…累進屈折力レンズ  １００ａ…眼鏡用レンズ  １０１…遠用部  １０２…近用部  １０３…中間部  １０４…遠用部分  １０５…近用部分  １０６…基準位置
【図１】
0004906777.tif 000002
【図２】
0004906777.tif 000003
【図３】
0004906777.tif 000004
【図４】
0004906777.tif 000005
【図５】
0004906777.tif 000006
【図６】
0004906777.tif 000007